(57)【要約】【課題】バーナボディ１と、バーナボディ上に載置されるバーナキャップ２とを備えるコンロ用バーナであって、バーナキャップの外周の周方向１箇所に、点火炎口６が形成されると共に、点火炎口の上方位置から径方向外方に張り出す庇部７が形成され、庇部で覆われる位置に点火電極９が配置され、点火炎口から噴出する混合気に点火電極とバーナキャップに設けたターゲット８との間での火花放電により点火するものにおいて、庇部が煮こぼれによる上面の急冷で基端部から先端部に向けて上方に反るように変形しても、安定した点火性能が得られるようにする。【解決手段】ターゲット８は、庇部７の下で点火炎口６の上側に隣接するバーナキャップ２の周面部分に設けられる。【選択図】図１
2015230100.tif 000002
【特許請求の範囲】
【請求項１】
バーナボディと、バーナボディ上に載置されるバーナキャップとを備えるコンロ用バーナであって、バーナキャップの外周の周方向１箇所に、点火炎口が形成されると共に、点火炎口の上方位置から径方向外方に張り出す庇部が形成され、庇部で覆われる位置に点火電極が配置され、点火炎口から噴出する混合気に点火電極とバーナキャップに設けたターゲットとの間での火花放電により点火するものにおいて、
ターゲットは、庇部の下で点火炎口の上側に隣接するバーナキャップの周面部分に設けられることを特徴とするコンロ用バーナ。
【発明の詳細な説明】
【技術分野】
【０００１】
本発明は、バーナボディと、バーナボディ上に載置されるバーナキャップとを備えるコンロ用バーナに関する。
【背景技術】
【０００２】
従来、この種のコンロ用バーナとして、バーナキャップの外周の周方向１箇所に、点火炎口を形成すると共に、点火炎口の上方位置から径方向外方に張り出す庇部を形成し、庇部で覆われる位置に点火電極を配置して、点火炎口から噴出する混合気に点火電極とバーナキャップに設けたターゲットとの間での火花放電により点火するものが知られている（例えば、特許文献１参照）。そして、このものでは、庇部の径方向中央部の下面にターゲットを設けている。
【０００３】
ところで、庇部は、点火炎口の上方位置から径方向外方に張り出すため、点火炎口から噴出する混合気の燃焼で形成される点火炎により炙られて高温になる。そして、この状態で庇部の上面に煮こぼれがかかると、庇部の上面が急冷されて庇部が基端部から先端部に向けて上方に反るように変形する。このように庇部が変形すると、庇部の中央部下面に設けられたターゲットの位置が大きく変化して、点火電極とターゲットとの間での火花放電がうまく行われなくなり、安定した点火性能が得られなくなる。
【先行技術文献】
【特許文献】
【０００４】
【特許文献１】特開２００６−２９７２３号公報
【発明の概要】
【発明が解決しようとする課題】
【０００５】
本発明は、以上の点に鑑み、庇部が変形しても安定した点火性能を得られるようにしたコンロ用バーナを提供することをその課題としている。
【課題を解決するための手段】
【０００６】
上記課題を解決するために、本発明は、バーナボディと、バーナボディ上に載置されるバーナキャップとを備えるコンロ用バーナであって、バーナキャップの外周の周方向１箇所に、点火炎口が形成されると共に、点火炎口の上方位置から径方向外方に張り出す庇部が形成され、庇部で覆われる位置に点火電極が配置され、点火炎口から噴出する混合気に点火電極とバーナキャップに設けたターゲットとの間での火花放電により点火するものにおいて、ターゲットは、庇部の下で点火炎口の上側に隣接するバーナキャップの周面部分に設けられることを特徴とする。
【０００７】
本発明によれば、庇部が煮こぼれによる上面の急冷で基端部から先端部に向けて上方に反るように変形しても、庇部の下で点火炎口の上側に隣接するバーナキャップの周面部分に設けられたターゲットの位置は殆ど変化しない。そのため、点火電極とターゲットとの間で確実に火花放電が行われ、安定した点火性能が得られる。
【図面の簡単な説明】
【０００８】
【図１】本発明の実施形態のコンロ用バーナの断面図。
【図２】実施形態のコンロ用バーナのバーナキャップの斜め下方から見た斜視図。
【発明を実施するための形態】
【０００９】
図１を参照して、本発明の実施形態のコンロ用バーナは、バーナボディ１とバーナキャップ２とを備えている。バーナボディ１は、これに一体の混合管３の先端部から立ち上がる内筒１１と外筒１２とで中空環状に形成される。また、内筒１１の上端部内周には、下方に屈曲するシール筒部１１ａが形成され、外筒１２の上端には、径方向内方に屈曲するフランジ部１２ａが形成されている。
【００１０】
バーナキャップ２は、バーナボディ１上に載置されるもので、環状に形成されている。バーナキャップ２の内周には、バーナボディ１の内筒１１に形成したシール筒部１１ａの内周に嵌合する筒部２１が垂設されている。また、バーナキャップ２の下面外周部は、バーナボディ１の外筒１２に形成したフランジ部１２ａの上面に着座している。そして、バーナキャップ２の下面外周部に、図２に示す如く、周方向の間隔を存して溝から成る多数の一般炎口４と、一般炎口４、４間に位置する小さな保炎口５とを形成し、混合管３からバーナボディ１内に供給される混合気（燃料ガスと一次空気との混合ガス）がこれら一般炎口４と保炎口５から噴出して燃焼するようにしている。尚、コンロの天板上に載置する五徳の各五徳爪と同一方位に位置する一般炎口４´は他の一般炎口４より小さくし、火炎が五徳爪に触れることを防止している。
【００１１】
また、バーナキャップ２の外周の周囲１箇所には、点火炎口６が形成されると共に、点火炎口６の上方位置から径方向外方に張り出す庇部７が形成されている。そして、庇部７で覆われる位置に、後述するターゲット８に対向する点火電極９を配置し、点火炎口６から噴出する混合気に点火電極９とターゲット８との間での火花放電により点火するようにしている。尚、点火電極９を庇部７で覆われる位置に配置するのは、煮こぼれが点火電極９にかかることを防止するためである。
【００１２】
ところで、庇部７は、点火炎口６から噴出する混合気の燃焼で形成される点火炎により炙られて高温になるため、この状態で庇部７の上面に煮こぼれがかかると、庇部７の上面が急冷されて、庇部７が基端部から先端部に向けて上方に反るように変形する。従って、従来例の如く庇部７の径方向中央部の下面にターゲット８が設けられていると、庇部７の変形でターゲット８の位置が大きく変化してしまう。その結果、点火電極９とターゲット８との間での火花放電がうまく行われなくなり、安定した点火性能が得られなくなる。
【００１３】
そこで、本実施形態では、ターゲット８を、庇部７の下で点火炎口６の上側に隣接するバーナキャップ２の周面部分に設けている。これによれば、庇部７が煮こぼれによる上面の急冷で変形するとしても、庇部７の下のバーナキャップ２の周面部分に設けられたターゲット８の位置は殆ど変化しない。そのため、点火電極９とターゲット８との間で確実に火花放電が行われ、安定した点火性能が得られる。
【００１４】
以上、本発明の実施形態について図面を参照して説明したが、本発明はこれに限定されない。例えば、上記実施形態では、バーナボディ１が混合管３と一体になっているが、バーナボディは混合管と別体であってもよい。また、上記実施形態のバーナボディ1とバーナキャップ２は環状に形成されているが、バーナボディを内筒１１を有しない円筒状に形成し、その上に円板状のバーナキャップを載置するコンロ用バーナにも同様に本発明を適用できる。
【符号の説明】
【００１５】
１…バーナボディ、２…バーナキャップ、６…点火炎口、７…庇部、８…ターゲット、９…点火電極。
【図１】
2015230100.tif 000003
【図２】
2015230100.tif 000004